(57)【要約】【課題】  保水性、透水性を備える法面保護層とその上部に植生層を設け、層厚が薄くても法面緑化を可能とする法面緑化工法を提供する。【解決手段】  本発明の法面緑化工法は、含水率が５０から６０％で粒径が１５ｍｍから２０ｍｍのバーク材１０ａに、バーク材１０ａに対して５〜１５重量％のセメント１０ｂと、該セメント１０ｂに対して２〜７．５重量％のセメント固化材１０ｃ及び０．８重量％のセメント接合材１０ｄと６０〜１００重量％の水を混練し、法面に１０ｍｍから２０ｍｍの厚さに吹き付け法面保護層１０を形成し、その表面に粉砕された木材樹皮などからなるバーク、ピートモス、腐葉土などの有機基材２０ｂ、客土などに種子２０ａを混入させた植生基材を所定厚さに吹き付け植生層２０を形成することを特徴とする。【選択図】  図２
2006299537.tif 000002
【特許請求の範囲】
【請求項１】
含水率が５０から６０％で粒径が１５ｍｍから２０ｍｍのバーク材に、バーク材に対して５〜１５重量％のセメントと、該セメントに対して２〜７．５重量％のセメント固化材及び０．８重量％のセメント接合材と６０〜１００重量％の水を混練し、法面に１０ｍｍから２０ｍｍの厚さに吹き付け法面保護層を形成し、その表面に粉砕された木材樹皮などからなるバーク、ピートモス、腐葉土などの有機基材、客土などに種子を混入させた植生基材を所定厚さに吹き付け植生層を形成することを特徴とする２層法面緑化工法。
【請求項２】
前記植生層の厚さは、２０ｍｍ〜５０ｍｍの間で、植生植物にあわせて任意に設定することを特徴とする請求項１記載の２層法面緑化工法。
【発明の詳細な説明】
【技術分野】
【０００１】
本発明は、法面緑化基盤を法面保護層とその上部に設ける植生層の２層として形成する法面緑化工法に関する。
【背景技術】
【０００２】
従来、法面緑化工法では、法面に金網又は合成樹脂網或は羽根突きアンカーなどの構造部材を配設して、植生基盤層を吹き付ける方法がとられていた。この方法では、法面の保護と基盤層が構造材で支持されることにより法面保護が確実に行われる利点があるものの、金属或は合成樹脂などが永久に残されてしまう問題があった。
【０００３】
特許文献１には、コンクリート・モルタル吹付け面等の硬質法面に、植物の生育に最適な比較的多孔質で安定保持性を有するサンドベース層と厚層基材表層からなる、植生深床層を効率よく形成できる硬質法面の緑化方法が提案されている。
【０００４】
この発明では、硬質法面に貫通孔を設け、その孔に羽根板付きアンカーを打設して頭部を突出させた状態で、砂８６〜９２重量％と、水、バインダー、緑化基盤材よりなる基盤砂を吹付けて厚みが６〜３０ｃｍのサンドベース層を形成し、その上に有機系活性肥料と腐植酸物質と、高分子凝集材と鉱物焼成軽量材からなる厚層基材に植物種子を加えて吹付けて厚みが８〜３８ｃｍの２層構造の植生深床層を形成するものである。
【０００５】
この方法は、法面保護として、予めコンクリート・モルタルなどが吹付けられ、雨水などの透水性が奪われた状態に対して、透水性を有する基盤層を形成するものであり、このため、金属などの羽根板付きアンカーを多数打ち込むこととなる。
【０００６】
自然環境に対する配慮から、杭或は金網などの人工構造物を用いず、また、法面保護にもコンクリート・モルタルなどの透水性のない資材を用いない保護層を形成することが望まれていた。
【０００７】
【特許文献１】特開平７−１１９１５２号公報（第２頁、第１図）
【発明の開示】
【発明が解決しようとする課題】
【０００８】
本発明は、杭或は金網などの人工構造材を用いることなく、保水性、透水性を備える法面保護層とその上部に植生層を設け、層厚が薄くても法面緑化を可能とする法面緑化工法を提供する。
【課題を解決するための手段】
【０００９】
前記課題を解決するため、本発明の法面緑化工法は、含水率が５０から６０％で粒径が１５ｍｍから２０ｍｍのバーク材に、バーク材に対して５〜１５重量％のセメントと、該セメントに対して２〜７．５重量％のセメント固化材及び０．８重量％のセメント接合材と６０〜１００重量％の水を混練し、法面に１０ｍｍから２０ｍｍの厚さに吹き付け法面保護層を形成し、その表面に粉砕された木材樹皮などからなるバーク、ピートモス、腐葉土などの有機基材、客土などに種子を混入させた植生基材を所定厚さに吹き付け植生層を形成することを特徴とする。
【００１０】
また、前記植生層の厚さは、２０ｍｍから５０ｍｍの間で、植生植物にあわせて任意に設定することを特徴とする。
【発明の効果】
【００１１】
本発明によれば、法面保護層の主な材料に含水率が高く、保水性に富むバーク材が、セメントにより高い結束力で結合されており、法面保護として機能すると共に、植生された植物の根の進入を許し、水分供給源としても機能する。
【００１２】
また、バーク材は、経年変化により土壌となり、植物の成長に伴いその根が、法面の基礎地盤に到達し植生による法面保護が実現する。
【００１３】
さらに、法面保護層は、廃材或は間伐材から製造されるバーク材を主な構成とすることから、従来のコンクリート・モルタル保護層に対して大幅なコストダウンが図られる。
【００１４】
またさらに、法面保護層には、金網、杭などの人工構造物を用いず、さらにセメントも５〜１５重量％の使用に抑えることができるため、環境保護の観点から自然破壊を極力少なくする効果を呈する。
【００１５】
さらにまた、この工法では、セメントに固化剤を混合して吹付けることにより、吹付け後短時間で法面保護層が安定し、植生層の吹付けを連続して行うことができる。このため、工期を短縮することができる。
【発明を実施するための最良の形態】
【００１６】
本発明の実施の形態を図を用いて詳細に説明する。
【００１７】
図１は、２層法面緑化方法による施工の形態を示す図で、（ａ）は、全体を２層とした施工例の断面図，（ｂ）は、傾斜法面のみを２層とした施工例を示す断面図である。
【００１８】
図１（ａ）において、Ａは法面を示し、Ｃは路面などの法面Ａの下部を示す。
【００１９】
本発明の法面緑化工法は、先ず法面保護層１０の主要資材であるバーク材１０ａを準備する。このバーク材１０ａは、１５ｍｍから２０ｍｍのおおきさの粒径のものを用いる。また、含水率を５０から６０％に調整しておく。
【００２０】
次に、バーク材１０ａに対して５〜１５重量％のセメント１０ｂと、該セメント１０ｂに対して２〜７．５重量％のセメント固化材１０ｃ及び０．８重量％のセメント接合材１０ｄと６０〜１００重量％の水を混練し、開削された法面Ａに吹き付け法面保護層１０を形成する。
【００２１】
通常、セメントのみであれば、吹きつけから固化するまでに時間がかかるため、バーク材のみが露出し、バインダーの役割をするべきセメントと水の混和物が法面Ａ或は法面Ａの下部に流れ、法面Ａの表層を覆うのみとなるが、本発明では、セメント固化材を混入させることにより、粒径の大きなバーク材１０ａにセメントが絡み、バーク材１０ａがセメントによるバインダーで、間隙を有する層を形成する。
【００２２】
また、固化したセメントにより、法面の表面は保護された状態となる。法面保護層１０の厚さは、１０〜２０ｍｍの厚さで、十分に法面保護の効果を呈する。
【００２３】
次に、粉砕された木材樹皮などからなるバーク、ピートモス、腐葉土などの有機基材２０ｂ、客土などに種子２０ａを混入させた植生基材を所定厚さに吹き付け植生層２０を形成する。
【００２４】
この植生層２０は、植生の種類に対応して２０〜５０ｍｍの範囲で、任意に設定する。
【００２５】
図１（ｂ）は、法面Ａから法面上肩部Ｂまで法面保護層１０を吹き付け、植生層２０は法面Ａのみに吹き付けた実施の形態を示し、この施工例では、盛土Ｄに対して直接雨水が浸透するのを防ぎ、盤膨れによる法面崩壊を防止することができる。
【００２６】
図２は、本発明の法面緑化の各層の拡大断面図である。
【００２７】
法面Ａの地盤に吹き付けられた法面保護層１０は、バーク材１０ａがセメント１０ｂに加えられた固化材１０ｃと混練されて、バーク材１０ａ同士が結合され、その間隙が透水性を有する層が形成される。
【００２８】
また、バーク材１０ａそのものは、保水性に優れているため、浸み込んだ雨水を吸収して保水する。このため、法面保護層１０の上部に吹き付けられた植生層２０から、植物の根が法面保護層１０内に伸びて、バーク材１０ａに蓄えられた水分を吸い上げて成長することができる。
【００２９】
植生層２０は、バーク、ピートモス、腐葉土などの有機基材２０ｂに、種子２０ａを混入して吹きつけて形成されている。
【００３０】
植生する植物に対応して、植生層２０には所定量の客土を混入する。
【００３１】
この工法では、植生が繁茂して、法面保護層１０内が、植生の根で充満するころには、バーク材１０ａが分解され、少しずつ土壌に変化する。このため、従来工法のような金属或は石油化学製の躯体などの工作物が残ることはない。
【００３２】
なお、本発明の工法に用いるセメント固化材１０ｃは、アルカリ性成分が少ないセメント急結材を用いることが望ましい。
【００３３】
又、この工法によれば、法面に凹凸があるような荒れた面であっても、表面に沿って、保水性のある保護層を、低コストで形成することができる。
【図面の簡単な説明】
【００３４】
【図１】本発明の２層法面緑化方法による施工の形態を示す図で、（ａ）は、全体を２層とした施工例の断面図，（ｂ）は、傾斜法面のみを２層とした施工例を示す断面図である。
【図２】本発明の法面緑化の各層の拡大断面図である。
【符号の説明】
【００３５】
１０    法面保護層
１０ａ  バーク材
１０ｂ  セメント
１０ｃ  固化材
１０ｄ  接合材
２０    植生層
２０ａ  種子
２０ｂ  有機基材
Ａ      法面
Ｂ      法面上肩部
Ｃ      路面
Ｄ      盛土
【図１】
2006299537.tif 000003
【図２】
2006299537.tif 000004